(57)【特許請求の範囲】
【請求項１】
機器のハウジングの上面に配置されたキーボードと、
前記キーボードよりも後方に位置する回動支点を中心に回動して前記ハウジングの上面を開閉し、閉状態で前記キーボードと表示面とが対向するディスプレイと、
前記ディスプレイの閉方向の移動軌跡に干渉する位置に位置付けられ、閉方向に回動する当該ディスプレイに押圧されて変位する左右一対の受圧部と、
前記ハウジングの上面における前記キーボードの隣接位置で突出自在に設けられ、前記表示面が前記キーボードに接触しないように閉状態の前記ディスプレイに当接する当接位置まで突出する一対のストッパと、
前記受圧部の変位を前記ストッパの突出変位として伝達し、前記ストッパを前記当接位置に位置付ける動力伝達機構と、
を備える商品販売データ処理装置。
【請求項２】
前記動力伝達機構は、前記受圧部を一端に有して前記ストッパを他端に有し、前記ディスプレイの回動支点軸と平行な軸周りに揺動する揺動アームによって形成されている、請求項１記載の商品販売データ処理装置。
【請求項３】
前記ストッパの先端には、前記ディスプレイの回動支点軸と平行な軸周りに揺動自在の当接片が設けられている、請求項１又は２記載の商品販売データ処理装置。
【請求項４】
前記ハウジングの上面には前記キーボードよりも後方に位置させてプリンタカバーが開閉自在に設けられ、
前記プリンタカバーと前記ディスプレイとは、前記ディスプレイが開状態のときには当該ディスプレイの下縁との干渉によって前記プリンタカバーの開放が妨げられ、前記ディスプレイが閉状態になる位置関係に位置付けられている、
請求項１ないし３のいずれか一記載の商品販売データ処理装置。
【発明の詳細な説明】
【技術分野】
【０００１】
本発明は、ディスプレイが回動して閉状態のディスプレイがキーボードを覆う構造の商品販売データ処理装置に関する。
【背景技術】
【０００２】
商品販売データ処理装置としては、ディスプレイが回動して閉状態のディスプレイがキーボードを覆う構造のものが従来から知られている。このような構造の商品販売データ処理装置では、ディスプレイに用いられる例えば液晶表示パネルを損傷から保護する等の目的で、閉じられたディスプレイの表示面がキーボードに干渉しないようにする必要がある。
【０００３】
特許文献１には、キーボードのキートップ面側にキートップの高さよりも高く突出する突起を出没自在に設けた発明が記載されている。突起は、一例として、機器のハウジング裏面側からスライド操作可能なレバーに平行リンク機構を介して連結され、レバーのスライド操作に応じて出没する（第１１図及び第１２図参照）。別の一例として、キーボード側からの操作によって押圧操作に応じて回転する半円形状の回転部材の一部を突起とし、この回転部材を手動で回動させることにより突起を出没させる（第１３図及び第１５図参照）。突起が出現した状態では、キーボードを覆うように回動して閉じられたディスプレイが突起に当接することでその回動が抑制され、キーボードに対するディスプレイの表示面の接触が防止される。
【０００４】
【特許文献１】実開平０２−１４５４２７号公報
【発明の開示】
【発明が解決しようとする課題】
【０００５】
特許文献１に記載された発明では、突起の出没を手動操作に委ねている。このため、ディスプレイを閉じるに際して突起を出現させ忘れてしまうことが予想され、これではディスプレイの表示面の損傷を確実に防止し得なくなってしまう。また、突起の出没を手動操作に委ねているため、そのための作業が煩雑であるという問題も有する。
【０００６】
本発明の目的は、操作者の判断に基づく手動操作に頼ることなく、閉じられたディスプレイの表示面とキーボードとの接触を確実に防止することである。
【課題を解決するための手段】
【０００７】
本発明は、機器のハウジングの上面に配置されたキーボードと、前記キーボードよりも後方に位置する回動支点を中心に回動して前記ハウジングの上面を開閉し、閉状態で前記キーボードと表示面とが対向するディスプレイと、前記ディスプレイの閉方向の移動軌跡に干渉する位置に位置付けられ、閉方向に回動する当該ディスプレイに押圧されて変位する左右一対の受圧部と、前記ハウジングの上面における前記キーボードの隣接位置で突出自在に設けられ、前記表示面が前記キーボードに接触しないように閉状態の前記ディスプレイに当接する当接位置まで突出する一対のストッパと、前記受圧部の変位を前記ストッパの突出変位として伝達し、前記ストッパを前記当接位置に位置付ける動力伝達機構と、を備える。
【発明の効果】
【０００９】
本発明によれば、ディスプレイの閉動作に伴い、ディスプレイの表示面がキーボードに接触しない位置でディスプレイの回動動作を規制することができ、これにより、操作者の判断に基づく手動操作に頼ることなく、閉じられたディスプレイの表示面を確実にキーボードに接触させないようにすることができる。
【発明を実施するための最良の形態】
【００１０】
本発明の第１の実施の形態を図１ないし図４に基づいて説明する。本実施の形態は、電子キャッシュレジスタ１０１への適用例である。電子キャッシュレジスタ１０１は、後方部分から前方部分にかけて徐々に高さが低くなる基本姿態を有するハウジング１０２を有している。ハウジング１０２の上面には、手前側に位置させてキーボード１０３が配置され、その左後方側に位置させてプリンタカバー１０４が開閉自在に配置されている。プリンタカバー１０４は、電子キャッシュレジスタ１０１が内蔵するレシート印字用の図示しないプリンタを覆い、キーボード１０３との境界部分にレシート発行口１０５を形成している。
【００１１】
ハウジング１０２の上面には、更に、ディスプレイ１０６が取り付けられている。ディスプレイ１０６は、液晶表示パネル１０７を表示面に有する液晶表示ディスプレイである。そこで、ディスプレイ１０６は、扁平なディスプレイハウジング１０８の一部をなすフレーム１０９の中央部に形成された表示孔１１０から露出するように液晶表示パネル１０７を収納保持している。フレーム１０９は、液晶表示パネル１０７の周囲を囲む枠構造を有している。このような構造のディスプレイ１０６は、ハウジング１０２の上面でキーボード１０３の右後方側に位置させて回動支点となるヒンジ１１１によって回動自在に保持されている。
【００１２】
図２は、ディスプレイ１０６が閉じられた状態を示す全体の斜視図である。ディスプレイ１０６は、開かれた使用時の図１に示す状態から閉じられると、図２に示すように、ハウジングの上面を開閉する。そして、閉状態では液晶表示パネル１０７が設けられている表示面がキーボード１０３と対向して覆う位置に位置付けられる。
【００１３】
ここで、図１及び図２を参照してプリンタカバー１０４とディスプレイ１０６との配置関係について説明する。プリンタカバー１０４とディスプレイ１０６とは、図１に示すように、ディスプレイ１０６が開状態のときには当該ディスプレイ１０６の下縁との干渉によってプリンタカバー１０４の開放が妨げられ、図２に示すように、ディスプレイ１０６が閉状態になることでプリンタカバー１０４が開閉自在となる位置関係に位置付けられている。
【００１４】
また、図１及び図２に示されているように、ハウジング１０２の上面は、キーボード１０３の後方部分から上方に立ち上がった形状をしている。プリンタカバー１０４及びディスプレイ１０６のヒンジ１１１は、立ち上がり部分に設けられている。
【００１５】
図３は、キーボード１０３に対する閉じられたディスプレイ１０６の表示面の干渉を抑制する機構の構造を示すディスプレイ１０６が開かれた状態での縦断側面図である。この機構は、干渉抑制機構１１２である。干渉抑制機構１１２は、受圧部１１３とストッパ１１４とを動力伝達機構としての揺動アーム１１５で連結した構造体が左右一対設けられることによって構成されている。揺動アーム１１５は、両端が上方に向けて突出する平板状のアーム部材であり、機器のハウジング１０２に収納された図示しないフレーム構造体に支軸１１６によって回動自在に取り付けられて形成されている。
【００１６】
揺動アーム１１５の一端には、受圧部１１３が形成されている。受圧部１１３は、図１に示すように、ハウジング１０２の一部に形成された左右一対の切欠１１７から外部に露出している。露出部分は、キーボード１０３の後方側に位置する前述したハウジング１０２の立ち上がり部分に位置付けられている。
【００１７】
揺動アーム１１５の他端には、ストッパ１１４が取り付けられている。ストッパ１１４は、図１に示すように、ハウジング１０２の一部に形成された左右一対のストッパ孔１１８から外部に露出している。露出部分は、キーボード１０３の最も手前側の左右隣接位置である。このようなストッパ１１４は、その先端部に揺動自在の当接片１１９を有している。当接片１１９は、ディスプレイ１０６の回動支点となるヒンジ１１１の軸と平行な支軸１２０によってストッパ１１４の先端部に取り付けられ、これによって揺動自在に保持されている。
【００１８】
図４は、干渉抑制機構１１２の構造を示すディスプレイ１０６が閉じられた状態での縦断側面図である。左右一対の受圧部１１３は、ディスプレイ１０６の閉方向の移動軌跡に干渉し、閉方向に回動するディスプレイ１０６に押圧されて受圧方向に変位する位置に位置付けられている。受圧部１１３が受圧方向に変位すると、揺動アーム１１５が支軸１１６を中心に回動して揺動動作し、他端側に有する一対のストッパ１１４を上方に押し上げる。左右一対のストッパ１１４は、閉方向に回動するディスプレイ１０６に当接し、ディスプレイ１０６がキーボード１０３に接触しないようにする位置に位置付けられている。この際、ディスプレイ１０６は、その左右のフレーム１０９の部分が左右一対のストッパ１１４に当接する。
【００１９】
干渉抑制機構１１２は、ディスプレイ１０６の下縁が受圧部１１３を押圧しない通常状態において、ハウジング１０２の一部に形成された左右一対の切欠１１７から受圧部１１３が外部に露出し、ハウジング１０２の一部に形成された左右一対のストッパ孔１１８からストッパ１１４が突出しない位置に位置付けられている。このような干渉抑制機構１１２の姿勢は、支軸１１６を中心に回動して揺動する揺動アーム１１５の重量バランスによって実現している。もっとも、別の実施の形態として、例えばコイルスプリング等のような付勢部材によって揺動アーム１１５に付勢力を及ぼし、これによって上記干渉抑制機構１１２の通常状態の姿勢を維持するような構成であっても良い。
【００２０】
このような構成において、電子キャッシュレジスタ１０１の通常の使用態様は、図１に示すように、ディスプレイ１０６を起こした状態である。この状態では、キーボード１０３のキー操作によって商品販売データ処理を行なうことができ、必要な情報がディスプレイ１０６の液晶表示パネル１０７に表示される。
【００２１】
一例として、用紙交換やメンテナンス作業等のためにプリンタカバー１０４を開く必要性が生じた場合、キーボード１０３を覆うような体勢となるまでディスプレイ１０６を倒す。この際、左右一対の受圧部１１３は、ディスプレイ１０６の閉方向の移動軌跡に干渉する位置に位置付けられ、閉方向に回動するディスプレイ１０６に押圧されて受圧方向に変位する。つまり、ディスプレイ１０６は、閉方向に回動することによってその下縁が１０２一部に形成された左右一対の切欠１１７から外部に露出する一対の受圧部１１３に当接する。この状態から更にディスプレイ１０６を閉方向に回動させると、受圧部１１３はディスプレイ１０６の下縁に押され、ハウジング１０２の内部方向に引っ込む。すると、一対の揺動アーム１１５が支軸１１６を中心に回動して揺動動作し、他端側に有する一対のストッパ１１４を上方に押し上げる。これにより、閉方向に回動したディスプレイ１０６の左右のフレーム１０９の部分がストッパ１１４に当接し、ディスプレイ１０６の回動動作が妨げられる。この際、ディスプレイ１０６は、キーボード１０３にぶつからない状態に維持される。これにより、操作者の判断に基づく手動操作に頼ることなく、閉じられたディスプレイの表示面に設けられた液晶表示パネル１０７とキーボード１０３との接触を確実に防止することができる。したがって、キーボード１０３との衝突による損傷から液晶表示パネル１０７が保護される。
【００２２】
ストッパ１１４は、ディスプレイ１０６を当接片１１９で受ける。当接片１１９は、支軸１２０に回動自在に支持されているため、ディスプレイ１０６の左右のフレーム１０９の当接角度に応じて揺動し、常に平坦な上面でディスプレイ１０６を受け止めることができる。これにより、ストッパ１１４に当接することによるディスプレイ１０６の左右のフレーム１０９の部分の損傷が防止される。
【００２３】
本発明の第２の実施の形態を図５ないし図１０に基づいて説明する。第１の実施の形態と同一部分は同一符号で示し、説明も省略する。
【００２４】
図５は、ディスプレイ１０６が開かれた状態を示す全体の斜視図である。本実施の形態では、干渉抑制機構１１２が第１の実施の形態と相違する。つまり、本実施の形態では、受圧部１１３とストッパ１１４と揺動アーム１１５とから構成される干渉抑制機構１１２が設けられず、ディスプレイ１０６の左右のフレーム１０９の部分に取り付けられた一対のストッパ２０１によって干渉抑制機構１１２が構成されている。
【００２５】
図６は、ストッパ２０１を示す斜視図である。ディスプレイ１０６の左右のフレーム１０９には、ストッパ２０１を収納するための一対の凹部２０２が形成されている。これらの凹部２０２に、ストッパ２０１は回動自在に収納されている。
【００２６】
図７は、ストッパ２０１の分解斜視図である。ストッパ２０１は、ストッパ片２０３とキー付き支軸２０４とから構成されている。キー付き支軸２０４には、その外周面に軸方向に沿ってキー２０５が突出形成されている。ストッパ片２０３にはキー溝２０６が形成されており、このキー溝２０６にキー付き支軸２０４が挿通している。
【００２７】
ディスプレイ１０６のフレーム１０９に形成された凹部２０２には、キー付き支軸２０４を挿通させる一対の取付孔２０７が形成されている。ストッパ片２０３は、キー溝２０６を挿通したキー付き支軸２０４の両端部がそれらの取付孔２０７に嵌合することによってフレーム１０９に回動自在に取り付けられる。このようなストッパ片２０３の組み立ては、ディスプレイ１０６の製造時、凹部２０２にストッパ片２０３を嵌め込んだ状態で、フレーム１０９の裏面側から、一方の取付孔２０７にキー付き支軸２０４を挿入してストッパ片２０３に形成されたキー溝２０６に挿通させ、更にもう一方の取付孔２０７に挿通させることによって実現する。一対の取付孔２０７とキー溝２０６とを挿通させた支軸２０４は、例えばＥリング等を用いた抜け止め手法を採用することで、容易に抜け止めすることが可能である。
【００２８】
図８は、凹部２０２内に位置する取付孔２０７の正面図である。取付孔２０７は、キー付き支軸２０４の基部となる円柱状部分を嵌合させる小径部２０８とキー２０５の部分を嵌合させる大径部２０９とを有している。大径部２０９は、扇形形状をしている。したがって、ストッパ２０１の回動は、キー２０５の部分が大径部２０９内を回動移動できる範囲に限られる。とりわけ、図８中、垂直よりもやや開いた角度に設定されている大径部２０９内の一方の片である規制片２１０は、キー付き支軸２０４、ひいてはストッパ片２０３の回動を一点差線で示す位置で規制する。
【００２９】
図９は、ディスプレイ１０６の各開閉位置におけるストッパ２０１の回動状態及びストッパ２０１と抑制機構との位置関係を示す模式図である。図９中、取付孔２０７を実線で示し、ストッパ２０１を一点差線で示し、ディスプレイ１０６のフレーム１０９に形成された凹部２０２を二点差線で示す。取付孔２０７に対するキー付き支軸２０４の嵌合状態は、ある程度の遊びを持った状態となっている。「ある程度」というのは、ディスプレイ１０６の回動動作に伴い、ストッパ２０１が自重で回動し得る程度である。したがって、ディスプレイ１０６が開かれた状態から（図９（ａ））、閉方向への回動によって徐々に閉じられると（図９（ｂ））、ストッパ２０１は自重で回動して垂直状態となる。そして、ディスプレイ１０６が更に回動してキーボード１０３を覆う位置まで達すると（図９（ｃ））、キー付き支軸２０４のキー２０５が取付孔２０７の大径部２０９に設けられた規制片２１０にぶつかり、その回動移動が規制される。したがって、ディスプレイ１０６の回動動作に応じて自重で回動したストッパ２０１は、垂直状態以上には回動せず、その回動が規制される。
【００３０】
図１０は、ストッパ２０１が機能している状態を示す装置先端部分の側面図である。図１０に示すように、ディスプレイ１０６がキーボード１０３を覆うまで回動した位置において、自重で回動して垂直状態に維持されるストッパ２０１は、その先端部が機器のハウジング１０２の上面においてキーボード１０３の左右両側部分に当接し、それ以上のディスプレイ１０６の回動動作を抑制する。この意味で、垂直状態となったストッパ２０１の回動位置は、ディスプレイ１０６の表示面をキーボード１０３に接触させない規制位置Ａであると定義付けられる。
【００３１】
図１１、ストッパ２０１が機能している状態を示すストッパ周辺の縦断側面図である。ストッパ２０１は、規制位置Ａにおいてハウジング１０２の上面に当接している限りは、垂直状態を維持する。ディスプレイ１０６は、キーボード１０３を覆う位置では、手前下がりの位置、つまり、回動支点側であるヒンジ１１１の位置よりも先端側の方が下方に位置する位置に位置付けられる。このため、ディスプレイ１０６の自重あるいはディスプレイ１０６を更に閉じようとする外力がディスプレイ１０６に加わった場合、ディスプレイ１０６は、ストッパ２０１に対して、規制位置Ａから更に回動させようとする方向への力のみを加え、その反対方向の力を加えることがない。これに対して、ストッパ２０１は、キー付き支軸２０４のキー２０５が取付孔２０７の大径部２０９に設けられた規制片２１０にぶつかり、その回動移動が規制されることから、規制位置Ａを越えて更に回動してしまうことが抑制される。図１１中、取付孔２０７を一点差線で示す。これが、規制位置Ａにおいてハウジング１０２の上面に当接している限り、ストッパ２０１が垂直状態を維持する理由である。そして、ストッパ２０１が規制位置Ａを越えて更に回動してしまうこと抑制するための機構であるキー付き支軸２０４及び取付孔２０７等により構成される機構は、抑制機構２１１を構成する。
【００３２】
このような構成において、一例として、用紙交換やメンテナンス作業等のためにプリンタカバー１０４を開く必要性が生じた場合、キーボード１０３を覆うような体勢となるまでディスプレイ１０６を倒す。すると、ストッパ２０１が自重で回動し、規制位置Ａにおいてハウジング１０２の上面に当接し、それ以上のディスプレイ１０６の回動動作が妨げる。この際、ディスプレイ１０６は、キーボード１０３にぶつからない状態に維持される。これにより、キーボード１０３との衝突による損傷から液晶表示パネル１０７が保護される。
【００３３】
本実施の形態によれば、自重で回動するストッパ２０１を設けるだけという比較的簡単な構成により、操作者の判断に基づく手動操作に頼ることなく、閉じられたディスプレイの表示面に設けられた液晶表示パネル１０７とキーボード１０３との接触を確実に防止することができる。したがって、キーボード１０３との衝突による損傷から液晶表示パネル１０７が保護される。
【図面の簡単な説明】
【００３４】
【図１】本発明の第１の実施の形態として、ディスプレイが開かれた状態を示す全体の斜視図である。
【図２】ディスプレイが閉じられた状態を示す全体の斜視図である。
【図３】キーボードに対する閉じられたディスプレイの表示面の干渉を抑制する機構の構造を示すディスプレイが開かれた状態での縦断側面図である。
【図４】キーボードに対する閉じられたディスプレイの表示面の干渉を抑制する機構の構造を示すディスプレイが閉じられた状態での縦断側面図である。
【図５】本発明の第２の実施の形態として、ディスプレイが開かれた状態を示す全体の斜視図である。
【図６】ストッパを示す斜視図である。
【図７】ストッパの分解斜視図である。
【図８】凹部内に位置する取付孔の正面図である。
【図９】ストッパが機能している状態を示すストッパ周辺の縦断側面図である。
【図１０】ストッパが機能している状態を示す装置先端部分の側面図である。
【図１１】ディスプレイの各開閉位置におけるストッパの回動状態及びストッパと抑制機構との位置関係を示す模式図である。
【符号の説明】
【００３５】
１０２…ハウジング，１０３…キーボード，１０４…プリンタカバー，１０６…ディスプレイ，１１３…受圧部，１１４…ストッパ，１１５…揺動アーム（動力伝達機構），１１９…当接片，２０１…ストッパ，２１１…抑制機構，Ａ…規制位置
【図１】
0004503521.tif 000002
【図２】
0004503521.tif 000003
【図３】
0004503521.tif 000004
【図４】
0004503521.tif 000005
【図５】
0004503521.tif 000006
【図６】
0004503521.tif 000007
【図７】
0004503521.tif 000008
【図８】
0004503521.tif 000009
【図９】
0004503521.tif 000010
【図１０】
0004503521.tif 000011
【図１１】
0004503521.tif 000012